(57)【要約】【課題】簡易にかつ正確にマークを記入させる。【解決手段】マークの記入位置を指示するマーク位置指標４０ａ〜４０ｌ，５０ａ〜５０ｌが、離間して対向した一対の括弧記号１０ａ，１０ｂからなり、括弧記号１０ａ，１０ｂを結ぶようにマークの記入を指示する構成において、一対の括弧記号１０ａ，１０ｂのそれぞれは、他方の括弧記号と対向する側から該他方の括弧記号とは離れる方向に凹むように折れ曲がった屈曲部１１を有する。【選択図】図１
2016066245.tif 000002
【特許請求の範囲】
【請求項１】
マークの記入位置を指示するマーク位置指標が、離間して対向した一対の括弧記号からなり、前記一対の括弧記号を結ぶようにマークの記入を指示するマークシート用紙であって、
前記一対の括弧記号のそれぞれは、他方の括弧記号と対向する側から該他方の括弧記号とは離れる方向に凹むように１点で折れ曲がった屈曲部を有するマークシート用紙。
【請求項２】
請求項１に記載のマークシート用紙において、
前記一対の括弧記号のそれぞれは、前記屈曲部を挟んだ２つの辺部のそれぞれが、少なくとも一部に肉厚部を有するマークシート用紙。
【発明の詳細な説明】
【技術分野】
【０００１】
本発明は、一対の括弧記号からなるマーク位置指標によってマークの記入位置を指示するマークシート用紙に関し、特に、正確なマークの記入を指示するための技術に関する。
【背景技術】
【０００２】
大学入試センター試験や一部の国家試験等においては、複数の選択肢に対応する解答欄の中から受験者が正解と思われる解答欄を塗りつぶすマークシート方式が採用されている。このようなマークシート方式においては、マークシート用紙に記入されたマークが機械的に読み取られるため、採点の効率化を図ることができ、多数の受験者の採点を短時間で行うことができる。
【０００３】
また、上記のような試験に限らず、情報を合理的かつ効率的に収集するためにマークシート用紙が用いられている（例えば、特許文献１参照）。
【０００４】
このようなマークシート用紙においては、マークを記入する位置を示すマーク位置指標が例えば楕円形で印刷されており、この楕円形の内部が塗りつぶされることでマークが記入された後、マークが読み取られることになる。その際、マーク位置指標まで読み取られないようにするために、マーク位置指標を淡い色で印刷し、マークを読み取る際にマーク位置指標をドロップアウトさせることが一般的に行われている。
【０００５】
ところで、近年、高齢化に伴い、このようなマークシート用紙を用いて高齢者の生活機能や介護状況等の情報を収集することも行われ始めている。その場合、マーク位置指標が淡い色で印刷されていると、視力が弱い高齢者にとってはマーク位置指標を認識しにくく、マークを正しく記入することができない場合が多い。
【０００６】
そこで、マーク位置指標を一対の括弧記号を用いて構成し、一対の括弧記号で挟まれた領域のうち括弧記号に重ならない一定幅のみを読み取る方式が採用されている。
【０００７】
図６は、マーク位置指標を一対の括弧記号を用いて構成したマークシート用紙の一例を示す図であり、（ａ）は全体の構成を示す図、（ｂ）はマーク位置指標の構成を示す図である。
【０００８】
本例のマークシート用紙は図６（ａ）に示すように、質問内容を示す質問項目２３０ａ〜２３０ｌが記載されているとともに、この質問項目２３０ａ〜２３０ｌに対応する回答をマークによって記入する位置を示すマーク位置指標２４０ａ〜２４０ｌ，２５０ａ〜２５０ｌが設けられている。マーク位置指標２４０ａ〜２４０ｌは、質問項目２３０ａ〜２３０ｌに対して「はい」と回答する場合にマークを記入する位置を示すものであり、質問項目２３０ａ〜２３０ｌが並ぶ方向に、マーク位置指標２４０ａ〜２４０ｆ，２４０ｇ〜２４０ｌがそれぞれ一列になって整列している。また、マーク位置指標２５０ａ〜２５０ｌは、質問項目２３０ａ〜２３０ｌに対して「いいえ」と回答する場合にマークを記入する位置を示すものであり、質問項目２３０ａ〜２３０ｌが並ぶ方向に、マーク位置指標２５０ａ〜２５０ｆ，２５０ｇ〜２５０ｌがそれぞれ一列になって整列している。
【０００９】
また、マークシート用紙２０１の端部には、マーク位置指標２４０ａ〜２４０ｆ，２５０ａ〜２５０ｆの整列方向延長線上のそれぞれに、マーク位置指標２４０ａ〜２４０ｆ，２５０ａ〜２５０ｆによる位置に記入されたマークの読み取りを指示するタイミングマーク２６０ａ，２６０ｂが印刷されている。また、マーク位置指標２４０ｇ〜２４０ｌ，２５０ｇ〜２５０ｌの整列方向延長線上のそれぞれにも、マーク位置指標２４０ｇ〜２４０ｌ，２５０ｇ〜２５０ｌによる位置に記入されたマークの読み取りを指示するタイミングマーク２６０ｃ，２６０ｄが印刷されている。
【００１０】
マーク位置指標２４０ａ〜２４０ｌ，２５０ａ〜２５０ｌはそれぞれ、図６（ｂ）に示すように、一対のコの字型の括弧記号２１０ａ，２１０ｂが、開口した側が対向するように並んで構成されている。そして、括弧記号２１０ａ，２１０ｂで挟まれた領域のうち括弧記号２１０ａ，２１０ｂに重ならない一定幅Ｗの領域のみについて読み取りが行われることにより、括弧記号２１０ａ，２１０ｂが読み取られることなく、括弧記号２１０ａ，２１０ｂで挟まれた領域に記入されたマークのみが読み取られることになる。
【００１１】
このように、マークの記入を指示するマーク位置指標２４０ａ〜２４０ｌ，２５０ａ〜２５０ｌを一対の括弧記号２１０ａ，２１０ｂから構成し、マークを読み取る際に括弧記号２１０ａ，２１０ｂが読み取られない構成とすることにより、マーク位置指標２４０ａ〜２４０ｌ，２５０ａ〜２５０ｌを濃い色で印刷することができ、それにより、高齢者のように視力が弱い記入者にとってもマーク位置指標を認識しやすくなり、マークを正しく記入することができるようになる。
【先行技術文献】
【特許文献】
【００１２】
【特許文献１】特開平１１−３０９２３４号公報
【発明の概要】
【発明が解決しようとする課題】
【００１３】
図７は、図６に示したマークシート用紙２０１のマーク位置指標２４０ａ〜２４０ｌ，２５０ａ〜２５０ｌに従ったマークの記入例を示す図である。
【００１４】
上述したように図６に示したマークシート用紙２０１のマーク位置指標２４０ａ〜２４０ｌ，２５０ａ〜２５０ｌはそれぞれ、一対のコの字型の括弧記号２１０ａ，２１０ｂが、開口した側が対向するように並んで構成されている。
【００１５】
そのため、括弧記号２１０ａ，２１０ｂで挟まれた領域を塗りつぶすことによってマークを記入させる場合、塗りつぶしのための手間がかかってしまう。また、その手間を軽減するために、図７に示すように括弧記号２１０ａ，２１０ｂを一本線で結ぶようにマーク２８０を記入させる場合、一対の括弧記号２１０ａ，２１０ｂのどの領域とどの領域とを結ぶようにマーク２８０を記入すればよいのかわからず、マーク２８０が斜めに記入されたり、マーク２８０が記入されるべき領域からはみ出したりして、記入されたマーク２８０の位置が一定せず、記入されたマーク２８０が正確に読み取れなくなってしまう虞れがある。
【００１６】
本発明は、上述したような従来の技術が有する問題点に鑑みてなされたものであって、簡易にかつ正確にマークを記入することができるマークシート用紙を提供することを目的とする。
【課題を解決するための手段】
【００１７】
上記目的を達成するために本発明は、
マークの記入位置を指示するマーク位置指標が、離間して対向した一対の括弧記号からなり、前記一対の括弧記号を結ぶようにマークの記入を指示するマークシート用紙であって、
前記一対の括弧記号のそれぞれは、他方の括弧記号と対向する側から該他方の括弧記号とは離れる方向に凹むように１点で折れ曲がった屈曲部を有する。
【００１８】
上記のように構成された本発明においては、マーク位置指標を構成する一対の括弧記号を結ぶようにマークの記入が指示されるが、一対の括弧記号のそれぞれが、他方の括弧記号と対向する側から他方の括弧記号とは離れる方向に凹むように１点で折れ曲がった屈曲部を有しているので、この屈曲部どうしを結ぶようにマークを記入することにより、一対の括弧記号間にて正確にマークを記入することができる。また、一対の括弧記号を一本線で結ぶようにマークを記入することによってマークの簡易な記入を実現する場合においても、屈曲部どうしを結ぶように一本線を記入することにより、一対の括弧記号間にて正確にマークを記入することができる。
【００１９】
また、一対の括弧記号のそれぞれにおいて、屈曲部を挟んだ２つの辺部のそれぞれが、少なくとも一部に肉厚部を有していれば、視力が弱い記入者によっても屈曲部が明確になりやすく、マークの記入を簡易にかつ正確に行うことができる。
【発明の効果】
【００２０】
本発明によれば、マーク位置指標を構成する一対の括弧記号のそれぞれが、他方の括弧記号と対向する側から他方の括弧記号とは離れる方向に凹むように１点で折れ曲がった屈曲部を有しているため、この屈曲部どうしを結ぶように一対の括弧記号間にてマークを記入することにより、正確にマークを記入することができる。また、一対の括弧記号を一本線で結ぶようにマークを記入することによってマークの簡易な記入を実現する場合においても、屈曲部どうしを結ぶように一本線を記入することにより、一対の括弧記号間にて正確にマークを記入することができる。
【００２１】
また、一対の括弧記号のそれぞれにおいて、屈曲部を挟んだ２つの辺部のそれぞれが、少なくとも一部に肉厚部を有するものにおいては、視力が弱い記入者によっても屈曲部が明確になりやすく、マークの記入を簡易にかつ正確に行うことができる。
【図面の簡単な説明】
【００２２】
【図１】本発明のマークシート用紙の実施の一形態を示す図であり、（ａ）は全体の構成を示す図、（ｂ）はマーク位置指標の構成を示す図である。
【図２】図１に示したマークシート用紙にマークが記入された状態を示す図であり、（ａ）は全体の構成を示す図、（ｂ）はマーク位置指標による位置にマークが記入された状態を詳細に示す図である。
【図３】図１に示したマークシート用紙に記入されたマークを読み取るマーク読取装置の構成例を示すブロック図である。
【図４】図３に示したマーク読取装置における図１に示したマークシート用紙に対する読み取り領域を示す図である。
【図５】本発明のマークシート用紙の他の実施の形態を示す図であり、（ａ）は全体の構成を示す図、（ｂ）はマーク位置指標の構成を示す図である。
【図６】マーク位置指標を一対の括弧記号を用いて構成したマークシート用紙の一例を示す図であり、（ａ）は全体の構成を示す図、（ｂ）はマーク位置指標の構成を示す図である。
【図７】図６に示したマークシート用紙のマーク位置指標に従ったマークの記入例を示す図である。
【発明を実施するための形態】
【００２３】
以下に、本発明の実施の形態について図面を参照して説明する。
【００２４】
図１は、本発明のマークシート用紙の実施の一形態を示す図であり、（ａ）は全体の構成を示す図、（ｂ）はマーク位置指標４０ａ〜４０ｌ，５０ａ〜５０ｌの構成を示す図である。なお、図１（ｂ）においては、マーク位置指標４０ａ〜４０ｌ，５０ａ〜５０ｌの構成をわかりやすくするために括弧記号１０ａ，１０ｂの内部を着色せずに図示している。
【００２５】
本形態におけるマークシート用紙は図１（ａ）に示すように、質問内容を示す質問項目３０ａ〜３０ｌが記載されているとともに、この質問項目３０ａ〜３０ｌに対応する回答をマークによって記入する記入位置を示すマーク位置指標４０ａ〜４０ｌ，５０ａ〜５０ｌが設けられている。マーク位置指標４０ａ〜４０ｌは、質問項目３０ａ〜３０ｌに対して「はい」と回答する場合にマークを記入する位置を示すものであり、質問項目３０ａ〜３０ｌが並ぶ方向に、マーク位置指標４０ａ〜４０ｆ，４０ｇ〜４０ｌがそれぞれ一列になって整列している。また、マーク位置指標５０ａ〜５０ｌは、質問項目３０ａ〜３０ｌに対して「いいえ」と回答する場合にマークを記入する位置を示すものであり、質問項目３０ａ〜３０ｌが並ぶ方向に、マーク位置指標５０ａ〜５０ｆ，５０ｇ〜５０ｌがそれぞれ一列になって整列している。
【００２６】
また、マークシート用紙１の端部には、マーク位置指標４０ａ〜４０ｆ，５０ａ〜５０ｆの整列方向延長線上のそれぞれに、マーク位置指標４０ａ〜４０ｆ，５０ａ〜５０ｆによる位置に記入されたマークの読み取りを指示するタイミングマーク６０ａ，６０ｂが印刷されている。また、マーク位置指標４０ｇ〜４０ｌ，５０ｇ〜１５０ｌの整列方向延長線上のそれぞれにも、マーク位置指標４０ｇ〜４０ｌ，５０ｇ〜５０ｌによる位置に記入されたマークの読み取りを指示するタイミングマーク６０ｃ，６０ｄが印刷されている。
【００２７】
マーク位置指標４０ａ〜４０ｌ，５０ａ〜５０ｌはそれぞれ、図１（ｂ）に示すように、一対の括弧記号１０ａ，１０ｂが、開口した側が対向するように離間して並んで構成されている。これら一対の括弧記号１０ａ，１０ｂはそれぞれ、２つの辺部１２ａ，１２ｂとこれら辺部１２ａ，１２ｂが交わる屈曲部１１とから構成されている。２つの辺部１２ａ，１２ｂはそれぞれ、直角三角形の形状を有しており、直角三角形の斜辺以外の２辺のうちの１辺が、直角ではない頂点が重なり合って一直線に並ぶように配置されている。直角三角形の形状を有する２つの辺部１２ａ，１２ｂがこのように配置されることにより、重なり合った頂点部分が屈曲部１１となっている。また、それにより、括弧記号１０ａの屈曲部１１は、括弧記号１０ｂに対向する側から括弧記号１０ｂとは離れる方向に凹むように１点で折れ曲がって構成され、また、括弧記号１０ｂの屈曲部１１は、括弧記号１０ａに対向する側から括弧記号１０ａとは離れる方向に凹むように１点で折れ曲がって構成されている。また、２つの辺部１２ａ，１２ｂはそれぞれ、直角三角形の形状であることにより、直角以外の２つの頂点においては厚みがないものの、その２つの頂点から離れていくにつれて斜辺とそれ以外の辺との間の間隔による厚みが生じていき、その一部に肉厚部を有する構成となっている。
【００２８】
以下に、上記のように構成されたマークシート用紙１の使用方法について説明する。
【００２９】
図２は、図１に示したマークシート用紙１にマークが記入された状態を示す図であり、（ａ）は全体の構成を示す図、（ｂ）はマーク位置指標４０ａ〜４０ｌ，５０ａ〜５０ｌによる位置にマークが記入された状態を詳細に示す図である。なお、図２（ｂ）においては、マーク位置指標の構成をわかりやすくするために括弧記号１０ａ，１０ｂの内部を着色せずに図示している。
【００３０】
図１に示したマークシート用紙１においては、図２（ａ）に示すように、質問項目３０ａ〜３０ｌに対する回答が、そのそれぞれについてマーク位置指標４０ｇ〜４０ｌとマーク位置指標５０ｇ〜５０ｌとのいずれか一方による位置にマーク８０ａ〜８０ｌによって記入されることになる。例えば、質問項目３０ａ〜３０ｌに対する回答が「はい」であるものにおいては、マーク位置指標４０ｇ〜４０ｃ，４０ｅ，４０ｆ，４０ｉ〜４０ｋによる位置にマーク８０ｇ〜８０ｃ，８０ｅ，８０ｆ，８０ｉ〜８０ｋが記入され、また、質問項目３０ａ〜３０ｌに対する回答が「いいえ」であるものにおいては、マーク位置指標８０ｄ，８０ｇ，８０ｈ，８０ｌによる位置にマーク８０ｄ，８０ｇ，８０ｈ，８０ｌが記入されることになる。
【００３１】
その際、マーク位置指標４０ａ〜４０ｌ，５０ａ〜５０ｌを構成する一対の括弧記号１０ａ，１０ｂのそれぞれが、上述したように、他方の括弧記号１０ａ，１０ｂと対向する側から他方の括弧記号１０ａ，１０ｂとは離れる方向に凹むように１点で折れ曲がった屈曲部１１を有しているので、図２（ｂ）に示すように、この屈曲部１１どうしを結ぶようにマーク８０を記入することにより、一対の括弧記号１０ａ，１０ｂ間にて正確にマーク８０を記入することができる。また、一対の括弧記号１０ａ，１０ｂを一本線で結ぶようにマーク８０を記入することによってマークの簡易な記入を実現する場合においても、屈曲部１１どうしを結ぶように一本線を記入することにより、一対の括弧記号１０ａ，１０ｂ間にて正確にマーク８０を記入することができる。
【００３２】
このようにして質問項目３０ａ〜３０ｌに応じてマーク位置指標４０ｇ〜４０ｌとマーク位置指標５０ｇ〜５０ｌとのいずれか一方による位置にマーク８０ａ〜８０ｌが記入された後、マーク読取装置にてマーク８０ａ〜８０ｌが読み取られ、マーク８０ａ〜８０ｌに応じた情報が認識されることになる。
【００３３】
図３は、図１に示したマークシート用紙１に記入されたマークを読み取るマーク読取装置の構成例を示すブロック図である。
【００３４】
図１に示したマークシート用紙１に記入されたマークを読み取るマーク読取装置としては、例えば、図３に示すように、タイミングマーク検出部９１と、マーク読取部９２と、情報認識部９３とを有するものが考えられる。
【００３５】
タイミングマーク検出部９１は、図１に示したマークシート用紙１のタイミングマーク６０ａ〜６０ｄが印刷された側の端部を、その端部に沿って走査していき、タイミングマーク６０ａ〜６０ｄを検出する。
【００３６】
マーク読取部９２は、図１に示したマークシート用紙１をタイミングマーク検出部９１とともに走査していき、タイミングマーク検出部９１にてタイミングマーク６０ａ〜６０ｄが検出された場合に、タイミングマーク６０ａ〜６０ｄが検出されている間、マーク位置指標４０ａ〜４０ｌ，５０ａ〜５０ｌの整列方向にてマークの読み取りを行う。それにより、マーク読取部９２において、タイミングマーク検出部９１にてタイミングマーク６０ａが検出された場合に、マーク位置指標４０ａ〜４０ｆによる位置に記入されたマークが読み取られ、タイミングマーク検出部９１にてタイミングマーク６０ｂが検出された場合に、マーク位置指標５０ａ〜５０ｆによる位置に記入されたマークが読み取られる。また、マーク読取部９２において、タイミングマーク検出部９１にてタイミングマーク６０ｃが検出された場合に、マーク位置指標４０ｇ〜４０ｌによる位置に記入されたマークが読み取られ、タイミングマーク検出部９１にてタイミングマーク６０ｄが検出された場合に、マーク位置指標５０ｇ〜５０ｌによる位置に記入されたマークが読み取られる。
【００３７】
情報認識部９３は、マーク読取部９２にて読み取られたマークに応じて、図１に示したマークシート用紙１にマークとして記入された情報を認識する。具体的には、図１に示したマークシート用紙１においては、マーク読取部９２にて読み取られたマークに応じて、質問項目３０ａ〜３０ｌのそれぞれに対する「はい」／「いいえ」を認識する。
【００３８】
以下に、上記のように構成されたマークシート読取装置によって図１に示したマークシート用紙１に記入されたマークを読み取る際の動作について説明する。
【００３９】
図３に示したマークシート読取装置によって図１に示したマークシート用紙１に記入されたマークを読み取る場合は、タイミングマーク検出部９１及びマーク読取部９２において、図１に示したマークシート用紙１が、タイミングマーク６０ａ〜６０ｄが印刷された端部に沿う方向に走査されていく。この際、タイミングマーク検出部９１は、マークシート用紙１のタイミングマーク６０ａ〜６０ｄが印刷された側の端部を、その端部に沿って走査していき、マーク読取部９２は、マークシート用紙１のマーク位置指標４０ａ〜４０ｌ，５０ａ〜５０ｌが設けられた領域を含むように走査していく。
【００４０】
そして、タイミングマーク検出部９１において、タイミングマーク６０ａ〜６０ｄが検出されると、マーク読取部９２において、タイミングマーク検出部９１にてタイミングマーク６０ａ〜６０ｄが検出されている間、マーク位置指標４０ａ〜４０ｌ，５０ａ〜５０ｌの整列方向にてマークの読み取りが行われる。
【００４１】
図４は、図３に示したマーク読取装置における図１に示したマークシート用紙１に対する読み取り領域を示す図である。なお、図４においては、タイミングマーク６０ａ，６０ｂによるマーク位置指標４０ａ〜４０ｆ，５０ａ〜５０ｆにおけるマークの読み取り領域を示しているが、タイミングマーク６０ｃ，６０ｄによるマーク位置指標４０ｇ〜４０ｌ，５０ｇ〜５０ｌにおけるマークの読み取り領域も同様である。
【００４２】
図３に示したマーク読取装置においては、図４に示すように、マーク読取部９２において、タイミングマーク検出部９１にてタイミングマーク６０ａ〜６０ｄが検出されている間に走査される幅Ｗ1だけ、マーク位置指標４０ａ〜４０ｌ，５０ａ〜５０ｌの整列方向にてマークの読み取りが行われる。
【００４３】
また、マーク読取部９２においては、図４に示すように、質問項目３０ａ〜３０ｆのそれぞれに対応するマーク位置指標４０ａ〜４０ｆとマーク位置指標５０ａ〜５０ｆとが並ぶ方向について、一対の括弧記号に挟まれた領域のうち括弧記号に重ならない一定幅Ｗ2の領域のみについてマークの読み取りが行われる。
【００４４】
これにより、マーク読取部９２において、タイミングマーク検出部９１にてタイミングマーク６０ａが検出された場合に、マーク位置指標４０ａ〜４０ｆによる位置に記入されたマークが読み取られ、タイミングマーク検出部９１にてタイミングマーク６０ｂが検出された場合に、マーク位置指標５０ａ〜５０ｆによる位置に記入されたマークが読み取られる。また、マーク読取部９２において、タイミングマーク検出部９１にてタイミングマーク６０ｃが検出された場合に、マーク位置指標４０ｇ〜４０ｌによる位置に記入されたマークが読み取られ、タイミングタイミングマーク検出部９１にてタイミングマーク６０ｄが検出された場合に、マーク位置指標５０ｇ〜５０ｌによる位置に記入されたマークが読み取られる。そしてその際、マーク位置指標４０ａ〜４０ｌ，５０ａ〜５０ｌを構成する一対の括弧記号は読み取られないことになる。
【００４５】
マーク読取部９２におけるマークの読み取り結果は情報認識部９３に送られ、情報認識部９３において、マーク読取部９２にて読み取られたマークに応じて、図１に示したマークシート用紙１にマークとして記入された情報が認識される。具体的には、図１に示したマークシート用紙１においては、マーク読取部９２にて読み取られたマークに応じて、質問項目３０ａ〜３０ｌのそれぞれに対する「はい」／「いいえ」が認識される。これにより、質問項目３０ａ〜３０ｌに対する回答が認識されることになる。
【００４６】
（他の実施の形態）
図５は、本発明のマークシート用紙の他の実施の形態を示す図であり、（ａ）は全体の構成を示す図、（ｂ）はマーク位置指標１４０ａ〜１４０ｌ，１５０ａ〜１５０ｌの構成を示す図である。
【００４７】
本形態におけるマークシート用紙は図５に示すように、図１に示したものに対して、マーク位置指標１４０ａ〜１４０ｌ，１５０ａ〜１５０ｌを構成する一対の括弧記号１１０ａ，１１０ｂの形状が異なるものである。
【００４８】
本形態における括弧記号１１０ａ，１１０ｂは、互いに対向する側が開いた「く」の字状のものである。「く」の字状の２辺が辺部１１２ａ，１１２ｂとなり、「く」の字状の折れ曲がった角部が屈曲部１１１となる。このような形状であることにより、本形態における一対の括弧記号１１０ａ，１１０ｂもそれぞれ、他方の括弧記号と対向する側から他方の括弧記号とは離れる方向に凹むように１点で折れ曲がった屈曲部１１１を有したものとなっている。
【００４９】
このように構成されたマークシート用紙１０１においても、質問項目１３０ａ〜１３０ｌに対する回答が、そのそれぞれについてマーク位置指標１４０ｇ〜１４０ｌとマーク位置指標１５０ｇ〜１５０ｌとのいずれか一方による位置にマークによって記入されることになるが、その際、マーク位置指標１４０ａ〜１４０ｌ，１５０ａ〜１５０ｌを構成する一対の括弧記号１１０ａ，１１０ｂのそれぞれが、上述したように、互いに対向する側が開いた「く」の字状のものであることによって、他方の括弧記号１１０ａ，１１０ｂと対向する側から他方の括弧記号１１０ａ，１１０ｂとは離れる方向に凹むように１点で折れ曲がった屈曲部１１１を有しているので、屈曲部１１１どうしを結ぶようにマークを記入することにより、一対の括弧記号１１０ａ，１１０ｂ間にて正確にマークを記入することができる。また、一対の括弧記号１１０ａ，１１０ｂを一本線で結ぶようにマークを記入することによってマークの簡易な記入を実現する場合においても、屈曲部１１１どうしを結ぶように一本線を記入することにより、一対の括弧記号１１０ａ，１１０ｂ間にて正確にマークを記入することができる。
【００５０】
なお、上記のように、本形態におけるマーク位置指標１４０ａ〜１４０ｌ，１５０ａ〜１５０ｌにおいても、図１に示したマーク位置指標４０ａ〜４０ｌ，５０ａ〜５０ｌと同様の効果を得ることができるが、図１に示したマーク位置指標４０ａ〜４０ｌ，５０ａ〜５０ｌのように、括弧記号１０ａ，１０ｂを構成する２つの辺部１２ａ，１２ｂがそれぞれ直角三角形等による肉厚部を有していれば、視力が弱い記入者によっても屈曲部１１が明確になりやすく、マークの記入を簡易にかつ正確に行うことができるというさらなる効果を得ることができる。なお、肉厚部は、辺部のそれぞれの少なくとも一部に有していれば、屈曲部を認識しやすくなる。
【符号の説明】
【００５１】
１，１０１    マークシート用紙
１０ａ，１０ｂ，１１０ａ，１１０ｂ    括弧記号
１１，１１１    屈曲部
１２ａ，１２ｂ，１１２ａ，１１２ｂ    辺部
３０ａ〜３０ｌ，１３０ａ，１３０ｂ    質問項目
４０ａ〜４０ｌ，５０ａ〜５０ｌ，１４０ａ〜４０ｌ，１５０ａ〜1
５０ｌ    マーク位置指標
６０ａ〜６０ｄ，１６０ａ，１６０ｂ    タイミングマーク
８０ａ〜８０ｌ    マーク
９１    タイミングマーク検出部
９２    マーク読取部
９３    情報認識部
【図１】
2016066245.tif 000003
【図２】
2016066245.tif 000004
【図３】
2016066245.tif 000005
【図４】
2016066245.tif 000006
【図５】
2016066245.tif 000007
【図６】
2016066245.tif 000008
【図７】
2016066245.tif 000009